(57)【特許請求の範囲】
【請求項１】
各周波数帯域毎に複数の映像・音声信号が重畳されたテレビ電波から受信可能チャンネルを検出するサーチ手段と、受信状態を検出する受信状態検出手段と、サーチ手段で得られた受信可能チャンネルおよび受信状態検出手段で検出された受信状態を記憶する記憶手段と、この記憶手段で記憶した受信可能チャンネルが含まれる各周波数帯域区間毎の受信状態を表示するために、モニタの表示画面の外側に配置された複数の受信状態表示手段と、この各受信状態表示手段と対応する位置のモニタ表示領域内に、各周波数帯域区間毎に含まれる受信可能チャンネルを周波数帯域区間毎にグループ分けしてそれぞれ表示させる手段とを、具備したことを特徴とするデジタル放送受信装置。
【発明の詳細な説明】
【０００１】
【発明の属する技術分野】
本発明は 車載テレビや携帯型テレビのようなモバイル（mobile）型のデジタルテレビ放送受信装置に適用して好適な、デジタル放送受信装置に関する。
【０００２】
【従来の技術】
日本において２００３年に試験放送が開始される地上波デジタル放送では、移動中の受信を想定したＯＦＤＭ変調方式を採用しており、モバイル性の高い受信機、受信端末の登場が予想される。このような、車載テレビや携帯型テレビによる移動受信においては、予め特定のチャンネル（放送局）をプリセットしておいたとしても、地域が変わればそのチャンネルを受信することはできないし、たとえ同一地域内であっても、山や建築物等の影響で受信可能な放送局が変動する場合があり得る。
【０００３】
周波数シンセサイザ方式や電圧シンセサイザ方式によるオートチューニングシステムを備えた車載テレビや携帯型テレビは存在するが、選局の際にチャンネル番号を表示するだけのものでは、旅行や出張等で知らない地域に行った場合に、その地域に何種類のテレビ放送局が存在するのか、何チャンネルに放送局が存在するのか、自分の居住地域にあるテレビ放送局とのネットワーク関係にあるテレビ放送局はどれか、などを全く知ることができず、所望するチャンネルを探し出すために多大な手間と時間がかかるという問題があった。これを解決する手段として、モニタ画面を使用し、受信可能チャンネル、受信状態情報などを提示して、チャンネル設定を行う手法が、特開平６−７７７７９号公報に開示されている。
【０００４】
【発明が解決しようとする課題】
車載テレビや携帯型テレビのように移動して持ち運ばれるモバイル型のテレビジョン受信機におけるチャンネル設定のサポート手法、ユーザーへの情報提供の手法としては、モニタに受信可能チャンネル、受信状況を表示させる方法が採られている。これらの手法では、チャンネル設定画面、受信状況画面を呼び出し、操作を行わねばならず、これらの操作を行うためには視聴を中断せざるをえない。よしんば、テレビ受像画像の上に受信可能チャンネル、受信状況を表示するとしても、画面の一部は隠されてしまう。これは、ユーザーにとって不便である。
【０００５】
また、受信可能なチャンネルを見つけた場合、自分の居住地域にあるテレビ放送局とネットワーク関係にあるテレビ放送局であるかを確認するための情報を入手し、その放送局のチャンネルを登録しようとすれば、さらにいくつもの操作を必要とし、ユーザーにとり不便である。
【０００６】
本発明は、これらの情報を簡便かつ判りやすく、視聴の邪魔になることなくユーザーに通知し、常に受信状態情報を提示できるようにすることを、その目的とする。
【０００７】
【課題を解決するための手段】
上記した課題を解決するため、本発明にかかるデジタル放送受信装置は、各周波数帯域毎に複数の映像・音声信号が重畳されたテレビ電波から受信可能チャンネルを検出するサーチ手段と、受信状態を検出する受信状態検出手段と、サーチ手段で得られた受信可能チャンネルおよび受信状態検出手段で検出された受信状態を記憶する記憶手段と、この記憶手段で記憶した受信可能チャンネルが含まれる各周波数帯域区間毎の受信状態を表示するために、モニタの表示画面の外側に配置された複数の受信状態表示手段と、この各受信状態表示手段と対応する位置のモニタ表示領域内に、各周波数帯域区間毎に含まれる受信可能チャンネルを周波数帯域区間毎にグループ分けしてそれぞれ表示させる手段とを、具備する。
【００１３】
【発明の実施の形態】
以下、本発明の実施の形態を、図面を用いて説明する。
【００１４】
図１は、本発明の一実施形態にかかるデジタル放送受信装置の構成を示すブロック図である。図１において、１０１は選局・デコード部、１０２は受信状態検出部、１０３は制御部、１０４は受信情報記録部、１０５は地域別受信情報保持部、１０６は外部表示部、１０７は画像生成部、１０８は映像信号生成部、１０９はモニタ、１１０はインターフェース部である。
【００１５】
選局・デコーダ部１０１は、チャンネルサーチを行い受信可能チャンネルの報告を制御部１０３に対して行い、また、放送信号を受け、選局および映像音声への復調の処理を行う。受信状態検出部１０２は、選局・デコーダ部１０１においてチャンネルサーチの結果、チャンネル受信可能な場合にその信号強度を検出し、検出結果を制御部１０３に対して報告する。
【００１６】
制御部１０３は、装置の各部に対して各種制御を行うもので、この制御部１０３は、受信状態検出部１０２から受信信号強度の情報を、選局・デコーダ部１０１から受信可能チャンネルの情報をそれぞれ受け取り、これを受信情報記録部１０４に保持させ、また、受信情報記録部１０４から取り出した情報をもとに、外部表示部１０６を制御し各チャンネルの信号強度情報を反映させ、さらに、画像生成部１０７に信号強度情報の詳細を送り、画面に表示する信号強度データの画像を作成させるよう制御を行う。
【００１７】
受信情報記録部１０４は、制御部１０３の制御のもとに、上記した受信可能なチャンネル情報、およびその信号強度情報を保持する。地域別受信情報保持部１０５は、あらかじめ与えられた、地域別の受信チャンネル、表示チャンネル、放送局名の組み合わせ情報を保持するものである。
【００１８】
外部表示部１０６は、モニタ１０９の表示画面の外側近傍（例えば、表示画面の上部近傍）に配設されるもので、ここでは複数のＬＥＤから構成されており、制御部１０３の制御のもとに点灯の仕方を変えるようになっている。なお、各チャンネルに対応して設けられる個々のＬＥＤ（ＬＥＤユニット）は、緑色発光ダイオード素子と赤色発光ダイオード素子の対からなっており、緑色と、赤色と、オレンジ色とが点灯可能となっている。なおまた、本実施形態では、ＬＥＤの直近、またはＬＥＤを含む形で、選局のインターフェイスとなる選局ボタンが設けられている（後述する、図３、図４においては、ＬＥＤ付きの選局ボタンの例を示している）。
【００１９】
画像生成部１０７は、制御部１０３よりの指令で受信状態の詳細を表示する画像や、他のＯＳＤ（オンスクリーンディスプレイ）用の画像などを作成する。映像信号生成部１０８は、選局・デコーダ部１０１で生成された映像・音声信号の映像信号に対し、制御部１０３の指示がある場合に、画像生成部１０７にて作成された受信状態表示画像などを重畳する。モニタ１０９は、映像信号生成部１０８よりの映像信号の表示を行うと共に、選局・デコーダ部１０１で生成され映像信号生成部１０８で処理された音声信号の出力を行う。インターフェース部１１０は、リモコンから受けたユーザーの指示、または本体ボタンによりユーザーから受けた指示を、制御部１０３に伝達する。
【００２０】
次に、本実施形態のデジタル放送受信装置の動作手順を、図２を用いて説明する。図２は、本実施形態のデジタル放送受信装置における処理の流れを示すフローチャートである。
【００２１】
ユーザーの指示、または初期設定動作などによって、制御部１０３より受信状態確認の指示が出される（ステップＳ２０１）。
【００２２】
この指示を受けた選局・デコード部１０１は、アンテナよりのテレビ電波から受信可能チャンネルをオートチューニングでサーチし、受信可能な或る周波数のチャンネルがあると判断された場合（ステップＳ２０２でＹＥＳの場合）、検出した受信可能チャンネルを制御部１０３に対して報告すると共に、受信状態検出部１０２によって受信信号の強度情報（受信信号レベル情報）を検出して、この信号強度情報も制御部１０３に対して報告する（ステップＳ２０３）。そして、制御部１０３は、得られた受信可能チャンネルの情報およびその信号強度の情報を、受信情報記憶部１０４に記憶させる（ステップＳ２０４）。次のステップＳ２０５では、選局可能な全帯域をスキャンし終わったか否かを判定し、全帯域をスキャンし終わったらステップＳ２０６へ進み、全帯域をスキャンし終わっていない場合はステップＳ２０２に戻る。
【００２３】
ステップＳ２０６では、制御部１０３は、地域別受信情報保持部１０５にあらかじめ保持している地域別の受信チャンネルの情報（例えば、図３に地域の一部として例示してあるような地域別の受信チャンネルの情報）と、受信情報記録部１０４に保持された現在の受信可能チャンネルの情報とを比較することで、現在の受信地域を判定する。そして、この受信地域の情報をもとに、受信情報記憶部１０４に記憶されたチャンネル情報と受信状態の組み合わせは、１〜１２のポジションにソートされる。
【００２４】
ステップＳ２０６に続くステップＳ２０７では、制御部１０３は、外部表示部１０６としてモニタの表示画面の外側近傍に配置された複数のＬＥＤを、以下のように制御する。すなわち、１〜１２のポジションに対応する位置関係にあるＬＥＤに対し、ソートされた受信状態情報に応じた点灯制御を行い、例えば、受信状態が良好であれば緑、受信状態が通常であればオレンジ、受信状態が悪ければ赤、受信不能であれば点灯せず、というように制御する。図４は、このようなステップＳ２０６の処理に基づく、外部表示部１０６（１２個のＬＥＤユニット）による受信状態の表示例を示している。なお、複数のＬＥＤよりなる外部表示部１０６の受信状態の表示形態は、これ以外に、例えばＬＥＤの点灯の強度や点滅の間隔時間で、受信信号の強さを表すものなどであってもよい。
【００２５】
ステップＳ２０７に続くステップＳ２０８では、インターフェイス部１１０を通じユーザーより、モニタの表示画面上への受信情報（詳細受信情報）の表示の指示があったか否かを判定し、ユーザーによる指示があった場合にはステップＳ２０９へ進み、ユーザーによる指示がなかった場合にはステップＳ２１０へジャンプする。
【００２６】
ステップＳ２０９では、制御部１０３の指令に基づき、画像生成部１０７が、保持された受信可能なチャンネルの情報、信号強度の情報、放送局名の情報をもとに、これらを表現する画像、すなわち、放送局名の文字画像や、受信状態に応じたレベルメータの画像もしくは数字の画像などを作成して、これを映像信号生成部１０８に送出する。一方、アンテナより入力されたテレビ電波は、選局・デコード部１０１において、トランスポートストリームに変換され多重化されたトランスポートストリームの分離、スクランブル解除、ＭＰＥＧデコードによる映像・音声信号の分離動作、 各種復調の処理を施され、映像・音声信号として映像信号生成部１０８に入力される。そして、映像信号生成部１０８では、画像生成部１０７において作成された画像と選局・デコード部１０１からの映像信号の２つの映像を合成し、これをモニタ１０９に出力する。図５は、このようなステップＳ２０９の処理に基づく、モニタの表示画面上の受信状態の表示例を示している。図５に示した例では、モニタの表示画面上に受信状態の詳細情報として、受信可能な放送局名と、受信強度を長さおよび色で示すバー状のレベルメータとを、表している。そして、放送局名とレベルメータとが対になった各受信状態詳細情報は、外部表示部１０６における受信可能なチャンネルとそれぞれ対応している（ここでは、何れかの色に点灯しているＬＥＤと対応する位置に、それぞれ表示されるようになっている）。また、各ＬＥＤと対応する番号（受信可能チャンネルと対応する表示チャンネル・ポジション番号）も、併せてモニタの表示画面上に表示している。なお、受信信号強度は数値によって表現しても、「非常に良好」、「良好」、「普通」などのように文字で表現してもよい。
【００２７】
ステップＳ２１０では、受信状態を表示するＬＥＤの直近に配設された、またはＬＥＤを含む形の選局ボタンが、ユーザーによって操作されたか否かを判定し、ユーザーによって選局ボタンが操作された場合には、ステップＳ２１１へ進み、そうでない場合は、図示していないが、ユーザーによる適宜の指示を待つステップに進む。ステップＳ２１１では、インターフェイス部１１０より受けとったユーザーの指示を制御部１０３が解析し、これにより選局指示を選局・デコード部１０１に出力して、選局と映像・音声デコードの動作を行わせる。
【００２８】
このように本実施形態では、図４に示したような、外部表示部１０６（複数のＬＥＤ）による受信状態の表示を行うことによって、ユーザーに対して、現在位置で受信可能なチャンネルと、その信号強度の度合いを、視認性よく常時提示することが可能となり、また、モニタ上の受信映像の視認を損なうこともない。また、図５に示したような、外部表示部１０６とモニタ１０９の表示画面とによる受信状態の表示を行うことによって、ユーザーに対して、現在位置で受信可能なチャンネルの詳細情報（放送局名）と、受信強度の詳細とを、視認性よく提示することが可能となる。したがって、ユーザーは、受信状態を表示するＬＥＤの直近に配設された、またはＬＥＤを含む形の選局ボタンによって、例えば、受信状態が良好ないし通常のチャンネルを即座に選局操作することが可能となり、ユーザーにとって使い勝手のよいものとなる。
【００２９】
図６は、本発明の他の実施形態にかかるデジタル放送受信装置における、受信状態の表示例を示す図である。
【００３０】
デジタル放送においては、各周波数帯域毎に、複数の映像・音声信号が重畳されている。そこで、ＬＥＤによって周波数帯域毎の受信状態を表示し、各ＬＥＤと対応するモニタの表示領域に、各周波数帯域に含まれる受信可能なチャンネルを表示することによって、モニタの表示画面上の表示領域を小さくし、かつ、ＬＥＤの数を節約することが可能となる。
【００３１】
図６に示した例では、周波数帯域が「１」〜「９」区間存在する場合を示しており、モニタの表示画面の外側近傍に配設する外部表示部１０６は、９個のＬＥＤ「１」〜「９」で構成されており、各ＬＥＤ「１」〜「９」は、各周波数帯域（「１」〜「９」区間の各周波数帯域）の受信状態をそれぞれ表示している。また、各ＬＥＤ「１」〜「９」に対応するモニタの表示画面中の受信チャンネル表示領域「１０１」〜「９０４」は、各周波数帯域に含まれる受信可能なチャンネルをそれぞれ示している。よって、周波数帯域「１」に含まれる受信可能チャンネルは１０１、１０２、１０３であり、その受信状態はＬＥＤ「１」によって表示される。
【００３２】
以上より、図６は、受信可能チャンネルが１０１、１０２、１０３、２０１、３０１、３０２、４０１、４０２、４０３、４０４、９０１、９０２、９０４であり、かつ、受信状態が良好であるチャンネルが１０１、１０２、１０３、９０１、９０２、９０４であり、受信状態が通常であるチャンネルが２０１であり、受信状態が悪いチャンネルが３０１、３０２、４０１、４０２、４０３、４０４であることを示している。
【００３３】
【発明の効果】
本発明によれば、モニタの表示画面の外側に配置する受信状態表示手段としての例えばＬＥＤによって周波数帯域区間毎の受信状態を表示し、各ＬＥＤと対応するモニタの表示領域に、各周波数帯域区間に含まれる受信可能なチャンネルを表示することによって、モニタの表示画面上の表示領域を小さくし、かつ、ＬＥＤの数を節約することが可能となる。
【図面の簡単な説明】
【図１】本発明の一実施形態にかかるデジタル放送受信装置の構成を示すブロック図である。
【図２】本発明の一実施形態にかかるデジタル放送受信装置における、処理の流れ示すフローチャートである。
【図３】本発明の一実施形態にかかるデジタル放送受信装置において用いる、受信地域判定用の地域別受信チャンネル、表示チャンネル、放送局名、ポジションの組み合わせの例を示す説明図である。
【図４】本発明の一実施形態にかかるデジタル放送受信装置における、外部表示部としての複数のＬＥＤによる受信状態の表示例を示す説明図である。
【図５】本発明の一実施形態にかかるデジタル放送受信装置における、外部表示部（複数ＬＥＤ）とモニタの表示画面とによる受信状態の表示例を示す説明図である。
【図６】本発明の他の実施形態にかかるデジタル放送受信装置における、外部表示部（複数ＬＥＤ）とモニタの表示画面とによる受信状態の表示例を示す説明図である。
【符号の説明】
１０１  選局・デコード部
１０２  受信状態検出部
１０３  制御部
１０４  受信情報記録部
１０５  地域別受信情報保持部
１０６  外部表示部
１０７  画像生成部
１０８  映像信号生成部
１０９  モニタ
１１０  インターフェース部
【図１】
0003824954.tif 000002
【図２】
0003824954.tif 000003
【図３】
0003824954.tif 000004
【図４】
0003824954.tif 000005
【図５】
0003824954.tif 000006
【図６】
0003824954.tif 000007